(57)【要約】【課題】通信方式に関係なく、あらゆるリーダにおいて、消費電力を抑制する事ができる通信システムの提供を目的とする。【解決手段】本発明に係るＩＣタグ通信システムは、リーダ毎にタグからの応答信号の受信回数を履歴として記憶しておき、その履歴に基づいて、受信回数が少ない時間帯ほど、リーダが質問信号を送信する周期を長くする。【選択図】図１
2010108041.tif 000002
【特許請求の範囲】
【請求項１】
質問器と応答器とから成り、質問器は応答器と無線通信を行う通信システムであって、
前記通信システムは、質問器が応答器から受信した応答信号の受信回数を含む受信履歴を記憶する履歴記憶手段を備え、
前記質問器は、
所定周期で質問信号を送信する質問送信手段と、
前記応答器から、前記質問信号に対する応答信号を受信し、前記履歴記憶手段に当該応答信号の受信回数を記憶させる応答受信手段と、
前記応答受信手段が受信した応答信号の受信回数を、前記履歴記憶手段から取得する取得手段とを備え、
前記質問送信手段は、前記取得手段で取得した受信回数に基づいて前記所定周期を決定して、決定した所定周期で質問信号を送信し、
前記応答器は、
質問信号を受信する質問受信手段と、
受信した質問信号に対して応答信号を送信する応答送信手段とを備える
ことを特徴とする通信システム。
【請求項２】
前記受信回数は、１日を所定時間単位に分割してなる時間帯ごとの応答信号の受信回数であり、
前記質問送信手段は、受信回数が多い時間帯の一定間隔は受信回数が少ない時間帯の一定間隔よりも短い間隔となるように、前記時間帯ごとに前記一定間隔を決定し、各時間帯の間は、各時間帯毎に決定した一定間隔で質問信号を送信する
ことを特徴とする請求項１に記載の通信システム。
【請求項３】
前記取得手段で取得する受信履歴は、前記質問送信手段が所定周期で質問信号を送信する日の前日の受信履歴である
ことを特徴とする請求項２に記載の通信システム。
【請求項４】
前記受信履歴は、所定日数分記憶されており、
前記取得手段で取得する受信履歴は、所定日数分の時間帯ごとの受信回数を累計したものである
ことを特徴とする請求項２に記載の通信システム。
【請求項５】
前記取得手段で取得する受信履歴は、前記質問送信手段が所定周期で質問信号を送信する日の曜日と同じ曜日の受信履歴である
ことを特徴とする請求項２に記載の通信システム。
【請求項６】
質問器と応答器とから成り、質問器は応答器と無線通信を行う通信システムで使用される質問器あって、
応答器から受信した応答信号の受信回数を含む受信履歴を記憶する履歴記憶手段と、
所定周期で質問信号を送信する質問送信手段と、
前記応答器から、前記質問信号に対する応答信号を受信し、前記履歴記憶手段に当該応答信号の受信回数を記憶させる応答受信手段と、
前記応答受信手段で受信した応答信号の受信回数を、前記履歴記憶手段から取得する取得手段とを備え、
前記質問送信手段は、前記取得手段で取得した受信回数に基づいて前記所定周期を決定して、決定した所定周期で質問信号を送信する
ことを特徴とする質問器。
【請求項７】
質問器と応答器とから成り、質問器は応答器と無線通信を行う通信システムで使用される質問器で用いられる質問信号送信方法であって、
応答器から受信した応答信号の受信回数を含む受信履歴をメモリに記憶する履歴記憶ステップと、
所定周期で質問信号を送信する質問送信ステップと、
前記応答器から、前記質問信号に対する応答信号を受信し、前記履歴記憶手段に当該応答信号の受信回数を記憶させる応答受信ステップと、
前記応答受信ステップで受信した応答信号の受信回数を、前記メモリから前記履歴記憶ステップで取得する取得ステップとを備え、
前記質問送信ステップは、前記取得ステップで取得した受信回数に基づいて前記所定周期を決定して、決定した所定周期で質問信号を送信する
ことを特徴とする質問信号送信方法。
【発明の詳細な説明】
【技術分野】
【０００１】
本発明は、ＩＣタグシステムに関し、特にリーダ側の消費電力量を抑える技術に関する。
【背景技術】
【０００２】
ＩＣタグシステムは、データを含むＩＣおよびアンテナからなるタグと、タグのデータを読み書きするリーダとで構成され、通常、ユーザが携帯するタグは内蔵電池で動作し、入口付近の壁等に設置されるリーダは外部電源で動作している。
ＩＣタグシステムが用いられるケースとして、例えば、入室管理がある。具体的には、タグはリーダから繰り返し送信されている質問信号を捉えると、認証用のデータをリーダに送り返し、リーダは受け取ったデータの認証を行って入口の扉の開錠等を行う。
【０００３】
ＩＣタグシステムでは、上述した入室管理のように、管理したい場所にリーダを１つずつ設置する必要があるため、管理したい場所が多くなればなるほど、設置しなければならないリーダが増えることになる。
リーダ１台の消費電力は問題とならなくても、台数が増えればその消費電力は大きくなることから、リーダの電力消費を少なくする要望がある。
【０００４】
ここで、複数の通信方式に対応したリーダがある。複数の通信方式に対応していることで、通信方式毎のリーダを設置する場合に比べてリーダの個数を減らすことができ、結果的に、消費電力も減らすことが出来る。さらに、使用頻度の多かった通信方式の質問信号をより多く送信することで、タグとの通信効率を向上させる技術も開発されている（特許文献１参照）。
【０００５】
確かに、この技術を用いれば、複数の通信方式に対応することでシステム全体としての省電力化を図りながら、タグとの通信効率を上げることができる。
【特許文献１】特開２００５−３０９９８８号公報
【発明の開示】
【発明が解決しようとする課題】
【０００６】
しかし、この技術は、複数の通信方式に対応し、常に、複数の通信方式でタグと通信するリーダにのみ有効な省エネ方法である。
そこで、本発明は、通信方式に関係なく、あらゆるリーダにおいて、消費電力を抑制する事ができる通信システムの提供を目的とする。
【課題を解決するための手段】
【０００７】
上記課題を解決する為に、本発明の通信システムは、質問器と応答器とから成り、質問器は応答器と無線通信を行う通信システムであって、前記通信システムは、質問器が応答器から受信した応答信号の受信回数を含む受信履歴を記憶する履歴記憶手段を備え、前記質問器は、所定周期で質問信号を送信する質問送信手段と、前記応答器から、前記質問信号に対する応答信号を受信し、前記履歴記憶手段に当該応答信号の受信回数を記憶させる応答受信手段と、前記応答受信手段が受信した応答信号の受信回数を、前記履歴記憶手段から取得する取得手段とを備え、前記質問送信手段は、前記取得手段で取得した受信回数に基づいて前記所定周期を決定して、決定した所定周期で質問信号を送信し、前記応答器は、質問信号を受信する質問受信手段と、受信した質問信号に対して応答信号を送信する応答送信手段とを備えることを特徴とする。
【発明の効果】
【０００８】
本発明に係る通信システムは、上述の構成を備えることにより、応答信号の受信履歴を記憶しておく事ができるので、応答信号の受信回数に基づいて質問信号を送信する周期を決めることができるようになる。
すなわち、応答信号の受信回数は、認証した人の数であることから、認証すべき人数が多いほど質問信号を多く送信する事が出来るようになる。認証すべき人数よりも多い質問信号を送信しなければ、認証する事ができないからである。
【０００９】
従って、認証すべき人数に応じた質問信号を送信することで、ユーザの利便性を損なうことなく、質問器の消費電力を抑える事ができる。
また、前記受信回数は、１日を所定時間単位に分割してなる時間帯ごとの応答信号の受信回数であり、前記質問送信手段は、受信回数が多い時間帯の一定間隔は受信回数が少ない時間帯の一定間隔よりも短い間隔となるように、前記時間帯ごとに前記一定間隔を決定し、各時間帯の間は、各時間帯毎に決定した一定間隔で質問信号を送信することとしてもよい。
【００１０】
これにより、時間帯毎の受信回数を取得できるので、時間帯毎に周期を変更でき、よりユーザの利便性を損なうことなく、質問器の省エネを実現できるようになる。
また、前記取得手段で取得する受信履歴は、前記質問送信手段が所定周期で質問信号を送信する日の前日の受信履歴であることとしてもよい。
また、前記受信履歴は、所定日数分記憶されており、前記取得手段で取得する受信履歴は、所定日数分の時間帯ごとの受信回数を累計したものであることとしてもよい。
【００１１】
また、前記取得手段で取得する受信履歴は、前記質問送信手段が所定周期で質問信号を送信する日の曜日と同じ曜日の受信履歴であることとしてもよい。
質問器を設置する場所に応じた履歴を用いることで、よりユーザの利便性を損なうことなく、質問器の省エネを実現できるようになる。
本発明の通信システムの質問器は、質問器と応答器とから成り、質問器は応答器と無線通信を行う通信システムで使用される質問器あって、応答器から受信した応答信号の受信回数を含む受信履歴を記憶する履歴記憶手段と、所定周期で質問信号を送信する質問送信手段と、前記応答器から、前記質問信号に対する応答信号を受信し、前記履歴記憶手段に当該応答信号の受信回数を記憶させる応答受信手段と、前記応答受信手段で受信した応答信号の受信回数を、前記履歴記憶手段から取得する取得手段とを備え、前記質問送信手段は、前記取得手段で取得した受信回数に基づいて前記所定周期を決定して、決定した所定周期で質問信号を送信することを特徴とする。
【００１２】
質問器は、上述の構成を備えることにより、応答信号の受信履歴を記憶しておく事ができるので、応答信号の受信回数に基づいて質問信号を送信する周期を決めることができるようになる。
【発明を実施するための最良の形態】
【００１３】
＜実施形態＞
＜概要＞
本発明は、ＩＣタグシステムのリーダは常に一定周期で質問信号を送信しているにも関わらず、ＩＣタグシステムが本来の処理、すなわち、タグとリーダの間でデータをやり取りして認証処理等を行う処理は、常に行われているわけではないことに着目したものである。
【００１４】
例えば、入室管理のような場合は、ユーザが入退室する時に認証処理が行われる。会社であれば社員の出勤時や退出時に入退室するユーザが増える。つまり、四六時中ユーザが入退室しているものではなく、通常、ＩＣタグシステムの本来の処理が実際に行われる頻度は、時間帯によってばらつきがある。
本発明は、この本来の処理の行われる頻度に合わせて、リーダから送信する質問信号の周期を調整し、結果として、リーダの消費電力を抑えようとするものである。すなわち、質問信号の送信を、ユーザの利便性を損なわない範囲で極力少なくすることで、消費電力を少なくする。
【００１５】
本発明では、認証を行った回数を履歴として記憶しておいて、次の日も、同様の頻度であろうと推測して、質問信号の送信周期を定める。
以下、本実施形態の通信システムを説明する。
本システムは、ドア付近に設置されている質問器が、ユーザが所持する応答器の認証を行い、認証ができればドアを開け、ユーザは通過できるものとする。
【００１６】
＜構成＞
本システムを構成する、質問器１０００と応答器２０００について説明する。
図１は、本発明にかかる質問器１０００と応答器２０００の機能ブロック図である。本システムは、通常、複数の質問器と複数の応答器とで構成される場合が多いが、それぞれ同様の構成を有する。
【００１７】
尚、質問器１０００は、壁などに設置され電源は供給されているものとし、応答器２０００は内蔵する電池を電源とするものとする。
まず、質問器１０００は、制御部１１００、履歴記憶部１２００、周期決定部１３００、質問信号送信部１５００、応答信号受信部１６００、ＬＦ信号送信部１８００、ＬＦアンテナ１８１０、ＲＦ信号受信部１９００及びＲＦアンテナ１９１０で構成される。
【００１８】
制御部１１００は、図示しないＣＰＵ、メモリ等を備え、応答器２０００の認証に必要な一般的な制御処理を行う他、以下に説明する本発明に特有の処理、例えば、受信した応答信号の回数を履歴記憶部１２００に記憶させる等の処理を行う。
履歴記憶部１２００は、応答受信履歴テーブルを作成し、記憶しておく機能を有する。応答受信履歴テーブルとは、応答信号を受信した回数を時間帯毎に記憶しておくテーブルであり、制御部１１００から応答信号を受信した旨の通知があると、時間帯別にカウントして記憶する。本実施形態では、２日分のテーブルを記憶しており、１つは前日の履歴を示すテーブルであり、もう１つは本日の履歴を取るためのテーブルである。翌日になると、本日の応答受信履歴テーブルが前日の応答受信履歴テーブルとなる。応答受信履歴テーブルについては、＜データ＞の項で図３を用いて説明する。
【００１９】
周期決定部１３００は、時間帯毎の質問信号を送信する周期を決定し、記憶しておく機能を有する。本実施形態では、質問器を１日の最初に起動したときに、前日の履歴に基づいて、周期を決定するものとする。この周期は、制御部１１００が参照し、その周期で質問信号を送信するよう制御することになる。
次に、質問信号送信部１５００は、質問信号を生成し、ＬＦ信号送信部１８００に送信を依頼する機能を有する。
【００２０】
ＬＦ信号送信部１８００は、質問信号送信部１５００から渡された質問信号を、誘電磁界の信号成分に重畳し、増幅して、ＬＦアンテナ１８１０から送信する機能を有する。
また、応答信号受信部１６００は、ＲＦ信号受信部１９００から応答信号を受け取ると、制御部１１００に、その旨と応答信号から取り出した情報を渡す機能を有する。
ＲＦ信号受信部１９００は、ＲＦアンテナ１９１０を介して応答信号を受信し、受信した応答信号を応答信号受信部１６００に渡す機能を有する。
【００２１】
これらの質問信号と応答信号との構成については、＜データ＞の項で図２を用いて説明する。
次に、応答器２０００は、制御部２１００、質問信号受信部２２００、応答信号送信部２３００、ＬＦ信号受信部２８００、ＬＦアンテナ２８１０、ＲＦ信号送信部２９００及びＲＦアンテナ２９１０で構成される。
【００２２】
制御部２１００は、図示しないＣＰＵ、メモリ、電池、ボタン等を備え、他の機能部に指示を出して、質問信号を受信したら応答信号を返す等の処理の制御を行う。
質問信号受信部２２００は、ＬＦ信号受信部２８００から受信した質問信号を受け取り、受け取った質問信号を解析して必要な情報を制御部２１００に渡す機能を有する。
ＬＦ信号受信部２８００は、ＬＦアンテナ２８１０を介して質問信号を受信し、受信した質問信号受信部２２００に渡す機能を有する。
【００２３】
また、応答信号送信部２３００は、応答信号を生成し、ＲＦ信号送信部２９００に送信を依頼する機能を有する。
ＲＦ信号送信部２９００は、応答信号送信部２３００から渡された応答信号を、ＲＦアンテナ２９１０を介して送信する機能を有する。このＲＦ信号送信部２９００は、電池を電源として応答信号を送信する。
【００２４】
ここで、質問器１０００の制御部１１００等の各部による各処理の全部または一部は、ＣＰＵ（図示していない。）が各種プログラムを実行することにより実現されるものであり、応答器２０００の各部による各処理の全部または一部も、ＣＰＵ（図示していない。）が各種プログラムを実行することにより実現される。
＜データ＞
以下、本実施形態の通信システムが用いる主なデータについて、図２と図３とを用いて説明する。
【００２５】
図２は、質問信号と応答信号のデータ構成及び内容例を示す図である。図２（ａ）は、質問器１０００が送信する質問信号１０のデータ構成及び内容例であり、図２（ｂ）は、応答器２０００が送信する応答信号２０のデータ構成及び内容例である。
まず、図２（ａ）の質問信号１０は、ＰＲ（PReamble）１１、ＵＷ（Unique Word）１２、質問器ＩＤ１３及びＣＲＣ１４で構成される。
【００２６】
ＰＲ１１は、質問信号１０のデータの始まりを示すビット列（同期符号）であり、ＵＷ１２は、いわゆるフレーム同期信号である。また、ＣＲＣ１４は、質問信号１０を受信した応答器２０００が、受信した質問信号１０に誤りが発生しているか否かを検出するためのデータである。
また、質問器ＩＤ１３は、質問信号１０を送信した質問器１０００の識別子であり、質問器が内部の作業メモリに予め記憶しているものとする。
【００２７】
次に、図２（ｂ）の応答信号２０は、ＰＲ２１、ＵＷ２２、質問器ＩＤ２３、応答器ＩＤ２４及びＣＲＣ２５で構成される。
ＰＲ２１は、応答信号２０のデータの始まりを示すビット列（同期符号）であり、ＵＷ２２は、いわゆるフレーム同期信号である。また、ＣＲＣ２５は、応答信号２０を受信した質問器１０００が、受信した応答信号２０に誤りが発生しているか否かを検出するためのデータである。
【００２８】
質問器ＩＤ２３は、質問器１０００の識別子を表し、この応答信号２０がどの質問器１０００から送信された質問信号１０に応じたものかを示すものである。すなわち、この応答信号２０は、質問器ＩＤ２３で示される質問器から送信された質問信号に対して送信された応答信号であることになる。
応答器ＩＤ２４は、応答信号２０を送信した応答器２０００の識別子であり、応答器が内部の作業メモリに予め記憶しているものとする。
【００２９】
次に、図３は、応答受信履歴テーブル１２１０の構成及び内容例を示す図である。このテーブルは履歴記憶部１２００に前日用と本日用の２つが記憶されている。
応答受信履歴テーブル１２１０は、時間帯１２１１、受信回数１２１２及び周期１２１３で構成される。
時間帯１２１１は、１日を所定時間に分割した時間帯を示している。本実施形態では、８時から２２にまでを２時間単位で分割し、２２時から８時までは質問器を停止することとする。
【００３０】
受信回数１２１２は、該当する時間帯１２１１の間に、受信した応答信号の数を示す。具体的には、質問器ＩＤ２３に自器のＩＤが設定されている応答信号２０を受信した回数である。
応答信号を受信する度に、制御部１１００からその旨が履歴記憶部１２００に通知され、履歴記憶部１２００は、時間帯毎に加算して記憶する。
【００３１】
周期１２１３は、該当する時間帯１２１１の間の質問信号を送信する周期を示す。この周期１２１３は、周期決定部１３００によって決定され、設定される。従って、前日の応答受信履歴テーブル１２１０には設定されているが、本日の応答受信履歴テーブル１２１０には設定されていないか、設定されていても無効である。
本実施形態では、周期１２１３は、３００ｍｓ〜６００ｍｓの間で設定されるものとする。周期が長くなると、応答器２０００が質問信号を受信する機会を逸してしまう場合があるからである。従って、この周期１２１３は、質問器１０００の設置場所や使用する人数等を考慮して、受信回数１２１２との関係が予め決められているものとする。
【００３２】
本実施形態では、時間帯における受信回数１２１２が「２００」を越えると周期１２１３は「３００（ｍｓ）」、受信回数１２１２が「１００〜１９９」の場合は「４００（ｍｓ）」、受信回数１２１２が「５０〜９９」の場合は「５００（ｍｓ）」、受信回数１２１２が「０〜４９」の場合は「６００（ｍｓ）」とする。
＜動作＞
以下、上述した通信システムの、質問器１０００と応答器２０００の動作について説明する。
【００３３】
図４は、質問器１０００の質問信号送信処理と、応答器２０００の応答処理とを示すフローチャートである。本図では、点線は質問信号等の信号の送信を表すものとする。
本実施形態では、図３の応答受信履歴テーブル１２１０のように、８時から２２時の間だけ、質問器１０００は質問信号を送信する場合を説明する。
まず、８時になると、質問器１０００の内部のタイマーにより、制御部１１００に質問信号の送信開始が通知される。
【００３４】
通知を受けた制御部１１００は、まず、周期決定部１３００に本日の周期の決定を依頼する。
依頼を受けた周期決定部１３００は、履歴記憶部１２００に記憶されている前日の応答受信履歴テーブル１２１０を参照し（ステップＳ１０）、周期を決定する（ステップＳ１１）。具体的には、前日の応答受信履歴テーブル１２１０の受信回数１２１２を参照し、全時間帯１２１１に対応する周期１２１３を決定し、周期１２１３の欄に設定する。例えば、時間帯１２１１「８：００−１０：００」の受信回数１２１２は「２１０」であるので、周期１２１３を「３００（ｍｓ）」と決定し、設定する。
【００３５】
また、周期決定部１３００は、本日の応答受信履歴テーブル１２１０の受信回数１２１２と周期１２１３をクリアする。
本日分の周期を決定した周期決定部１３００は、その旨を制御部１１００に通知する。
本日分の周期を決定した旨の通知を受けた制御部１１００は、現時刻は８時であることから１日は終了していないので（ステップＳ１２：ＮＯ）、「１０：００」になったら通知をするようにタイマーを設定し、履歴記憶部１２００に記憶されている前日の応答受信履歴テーブル１２１０から、時間帯１２１１「８：００−１０:００」に対応する周期１２１３「３００（ｍｓ）」を取得する（ステップＳ１３）。一方、本日の質問信号を送信する時間が終了したと判断した場合（ステップＳ１２：ＹＥＳ）、すなわち、２２時になった場合は送信処理を終了する。
【００３６】
次に、制御部１１００は、タイマーを設定したところであるので該当時間帯は終了しておらず（ステップＳ１４：ＮＯ）、取得した周期１２１３「３００（ｍｓ）」で質問信号を送信する（ステップＳ１５）。具体的には、制御部１１００は、質問信号送信部１５００に質問信号１０の送信を依頼する。
依頼を受けた質問信号送信部１５００は、質問器ＩＤ１３に自器のＩＤを設定した質問信号１０を生成し、生成した質問信号１０（図２（ａ）参照）をＬＦ信号送信部１８００に渡して送信を依頼する。質問信号送信部１５００は、生成した質問信号１０を内部の作業メモリに記憶し、次回の依頼からは記憶している質問信号１０をＬＦ信号送信部１８００に渡すものとする。
【００３７】
依頼を受けたＬＦ信号送信部１８００は、受け取った質問信号１０をＬＦアンテナ１８１０を介して送信する。
質問信号送信部１５００に、質問信号を送信するよう依頼した制御部１１００は、依頼してから周期１２１３「３００（ｍｓ）」が経過するまでに応答信号受信部１６００から応答信号２０（図２（ｂ）参照）を受け取らなかった場合は（ステップＳ１６：ＮＯ）、周期１２１３「３００（ｍｓ）」が経過したら質問信号送信部１５００に、質問信号を送信するよう依頼する（ステップＳ１４：ＮＯ、ステップＳ１５）。
【００３８】
質問信号を送信するよう質問信号送信部１５００に依頼した制御部１１００は、依頼して周期１２１３「３００（ｍｓ）」が経過するまでに応答信号受信部１３００から応答信号を受け取った場合は（ステップＳ１６：ＹＥＳ）、応答器２０００の認証処理を行う（ステップＳ１７）。具体的には、例えば、受信した応答信号２０の応答器ＩＤ２４が、自器が記憶する応答器ＩＤの一覧に載っている場合は、認証できたこととして開錠するなどである。
【００３９】
尚、応答信号受信部１６００は、ＲＦアンテナ１９１０を介して応答信号２０を受信したＲＦ信号受信部１９００から、受信した応答信号２０を渡され、渡された応答信号２０を制御部１１００に渡す。
また、応答信号２０を受け取った制御部１１００は、履歴記憶部１２００にその旨を通知する。
【００４０】
通知を受けた履歴記憶部１２００は、本日の応答受信履歴テーブル１２１０の、現時刻が含まれる時間帯１２１１の受信回数１２１２に「１」を加算する。
制御部１１００は、８時から１０時の間、周期１２１３「３００（ｍｓ）」で質問信号送信部１５００に質問信号の送信を依頼することで、繰り返し質問信号の送信（ステップＳ１４〜ステップＳ１８）を行い、該当時間帯が終了、すなわち、１０時になったら（ステップＳ１４：ＹＥＳ）、次の時間帯、１０時から１２時の周期１２１３「６００（ｍｓ）」を、取得し（ステップＳ１３）、取得した周期で質問信号１０の送信処理を行う（ステップＳ１４〜ステップＳ１８）。
【００４１】
このように、質問器１０００は、時間帯毎に、周期を変えながら２２時まで質問信号を送信する。
次に、応答器２０００の処理について説明する。
応答器２０００のＬＦ信号受信部２８００は、ＬＦアンテナ２８１０を介して質問器１０００が送信した質問信号１０を受信し、受信した質問信号１０を質問信号受信部２２００に渡す（ステップＳ２０）。
【００４２】
質問信号受信部２２００は、受け取った質問信号１０の質問器ＩＤ１３を制御部２１００に渡す。
質問器ＩＤ１３を受け取った制御部２１００は、応答信号送信部２３００に応答信号の送信を依頼する。この依頼の際、質問信号受信部２２００から受け取った質問器ＩＤ１３を渡す。
【００４３】
依頼を受けた応答信号送信部２３００は、応答信号２０を生成し、生成した応答信号２０をＲＦ信号送信部２９００に渡して、送信を依頼する。応答信号送信部２３００は、受け取った質問器ＩＤ１３を、応答信号２０の質問器ＩＤ２３に設定し、自器のＩＤを応答器ＩＤ２４に設定して応答信号２０を生成する。
依頼を受けたＲＦ信号送信部２９００は、受け取った応答信号２０をＲＦアンテナ２９１０を介して送信する（ステップＳ２１）。
【００４４】
＜補足＞
以上、本発明に係る通信システムについて実施形態に基づいて説明したが、このシステムを部分的に変形することもでき、本発明は上述の実施形態に限られないことは勿論である。即ち、
（１）実施形態では、応答受信履歴テーブルは、前日のもののみを用いているが、他の方法であっても良い。例えば、複数日の履歴を記憶しておいて、累積した値を使用するなどである。また、同じ曜日や、先月の同じ日の履歴を用いることとしてもよい。
【００４５】
また、本実施形態では、２時間を１時間帯とし、周期を３００ｍｓ〜６００ｍｓ等としているが、この条件はこれに限られない。
各時間帯を異なる時間としてもよく、周期をこれ以外のものとしてもよい。
（２）実施形態では、質問器と応答器の通信履歴として、応答信号の受信回数を記憶することとしているが、認証ができたか否かや応答器のＩＤ等を記憶することとしても良い。これらを参照して周期を決めても良い。例えば、認証ができた回数が多いほど周期を短くしたりである。
（３）実施形態では、応答信号の受信履歴を質問器の内部に記憶することとしているが、質問器の外部の装置に記憶することとしても良い。
【００４６】
例えば、質問器の認証履歴を記憶しているサーバで、応答信号の受信履歴を記録することとしても良い。
また、実施形態では、1台の質問器毎に履歴を取ってその１台の周期を決定することとしているが、他の決定方法でもよい。例えば、あるエリア内の複数の質問器の履歴をまとめて、エリア内の全質問器の周期を決定する等である。
（４）通信システムに含まれる質問器、応答器においては、図１等の各構成要素の全部又は一部を、１チップ又は複数チップの集積回路で実現してもよい。
（５）実施形態で示した通信システムの各機能を実現させる為の各制御処理（図４参照）をＣＰＵに実行させる為のプログラムを、記録媒体に記録し又は各種通信路等を介して、流通させ頒布することもできる。このような記録媒体には、ＩＣカード、光ディスク、フレキシブルディスク、ＲＯＭ、フラッシュメモリ等がある。流通、頒布されたプログラムは、機器におけるＣＰＵで読み取り可能なメモリ等に格納されることにより利用に供され、そのＣＰＵがそのプログラムを実行することにより実施形態で示した各機能が実現される。
【図面の簡単な説明】
【００４７】
【図１】本発明にかかる質問器１０００と応答器２０００との機能ブロック図である。
【図２】図２（ａ）は、質問器１０００が送信する質問信号１０のデータ構成及び内容例であり、図２（ｂ）は、応答器２０００が送信する応答信号２０のデータ構成及び内容例である。
【図３】応答受信履歴テーブルの構成及び内容例である。
【図４】質問器１０００の質問信号送信処理と応答器２０００の応答処理を示すフローチャートである。
【符号の説明】
【００４８】
１０        質問信号
２０        応答信号
１０００    質問器
１１００  ２１００    制御部
１２００    履歴記憶部
１３００    周期決定部
１５００    質問信号送信部
１６００    応答信号受信部
１８００  ２８００    ＬＦ信号送受信部
１８１０  ２８１０    ＬＦアンテナ
１９００    ＲＦ信号受信部
１９１０  ２９１０    ＲＦアンテナ
２０００    応答器
２２００    質問信号受信部
２３００    応答信号送信部
２９００    ＲＦ信号送信部
【図１】
2010108041.tif 000003
【図２】
2010108041.tif 000004
【図３】
2010108041.tif 000005
【図４】
2010108041.tif 000006